(57)【特許請求の範囲】
【請求項１】
シートに画像を記録する記録部と、
同じ種類のシートをそれぞれ支持する複数のトレイと、
前記複数のトレイに支持されたシートを選択的に前記記録部へ搬送する搬送部と、
前記記録部及び前記搬送部を制御する制御部と、
記憶部と、を備え、
前記制御部は、
前記複数のトレイのうちの一つを給送元トレイとして選択する選択処理と、
前記搬送部を制御して、前記選択処理により選択されている前記給送元トレイから前記記録部へのシートの搬送を試行する試行処理と、
前記試行処理を実行する毎に、前記給送元トレイからの前記記録部へのシートの搬送が成功したか否かを判断する成否判断処理と、
前記成否判断処理において前記給送元トレイからの前記記録部へのシートの搬送が成功したと判断した場合には前記給送元トレイを第１トレイとして割り当て、前記成否判断処理において前記給送元トレイからの前記記録部へのシートの搬送が失敗したと判断した場合には前記給送元トレイを第２トレイとして割り当てて、この割り当てに係る割当情報を前記複数のトレイ毎に対応付けて前記記憶部に記憶する第１記憶処理と、
前記成否判断処理において前記給送元トレイからの前記記録部へのシートの搬送が失敗したと判断した失敗回数を、前記複数のトレイ毎に対応付けて前記記憶部に記憶する第２記憶処理と、
前記記憶部に記憶された前記失敗回数が、２以上の規定回数となった前記トレイを、異常トレイと判断する異常判断処理と、
を実行可能であり、
前記選択処理において、
前記複数のトレイのうち、前記異常判断処理により前記異常トレイと判断されたトレイ以外を選択対象トレイとし、前記試行処理を実行する毎に前記給送元トレイが切り替わるように前記選択対象トレイのいずれかを次の前記給送元トレイとして選択するものであり、且つ、
前記成否判断処理において前記給送元トレイからの前記記録部へのシートの搬送が失敗したと判断したときには、
前記選択対象トレイのうち、前記記憶部に記憶された前記割当情報に基づき前記第１トレイとして割り当てられているトレイのいずれかを、次の前記給送元トレイとして選択することを特徴とする画像記録装置。
【請求項２】
前記制御部は、
前記選択処理において、
前記成否判断処理において前記給送元トレイからの前記記録部へのシートの搬送が成功したと判断したときには、
前記選択対象トレイのうち、前記記憶部に記憶された前記割当情報に基づき前記第２トレイとして割り当てられているトレイのいずれかを、次の前記給送元トレイとして選択することを特徴とする請求項１に記載の画像記録装置。
【請求項３】
前記制御部は、
前記選択処理において、
前記成否判断処理において前記給送元トレイからの前記記録部へのシートの搬送が失敗したと判断したときには、
前記記憶部に記憶された前記割当情報に基づき前記第１トレイとして割り当てられているトレイの全てを前記給送元トレイとして順に選択した後に、前記割当情報に基づき前記選択対象トレイのうちの前記第２トレイとして割り当てられているトレイのいずれかを、次の前記給送元トレイとして選択することを特徴とする請求項１に記載の画像記録装置。
【請求項４】
前記制御部は、
前記選択処理において、
前記複数のトレイそれぞれに対して規定されたトレイ順を繰り返す選択順序に従って、前記選択対象トレイのうちの一つを順に前記給送元トレイとして選択するものであり、
前記成否判断処理において前記給送元トレイからの前記記録部へのシートの搬送が失敗したと判断したときには、
前記記憶部に記憶された前記割当情報に基づき、前記選択順序において次に前記第１トレイとして割り当てられているトレイを、次の前記給送元トレイとして選択することを特徴とする請求項１〜３の何れか１項に記載の画像記録装置。
【請求項５】
前記複数のトレイを着脱可能に収容する筐体と、
前記筐体に対する前記複数のトレイそれぞれの着脱を検出可能な検出部と
をさらに備えており、
前記制御部は、
前記検出部が、前記記憶部に記憶された前記失敗回数が零よりも大きいトレイのいずれかの前記筐体に対する着脱を検出した場合に、前記記憶部に記憶された、前記筐体に対する着脱が検出されたトレイに対応付けられた前記失敗回数を零に初期化する初期化処理をさらに実行可能であることを特徴とする請求項１〜４のいずれか１項に記載の画像記録装置。
【発明の詳細な説明】
【技術分野】
【０００１】
本発明は、画像記録装置に関する。
【背景技術】
【０００２】
特許文献１には、複数の給紙トレイから給紙を行うことが可能に構成された画像形成装置が開示されている。この画像形成装置では、画像を形成するごとに給紙する給紙トレイの切り替えを行っている。また、給紙トレイには残量検知センサがついており、この残量検知センサにより紙残量がペーパーエンドとなった給紙トレイについては、切り替え対象から外している。これにより、この画像形成装置では印刷時のペーパーエンドによる給紙トレイの切り替えのダウンタイムを減らしている。
【先行技術文献】
【特許文献】
【０００３】
【特許文献１】特開２００８−１５６０５３号公報
【発明の概要】
【発明が解決しようとする課題】
【０００４】
ところで、紙残量がペーパーエンドの給紙トレイなど、給紙を行うことができない給紙トレイを判断する判断方法として、当該給紙トレイからの給紙が複数回失敗したときに、当該給紙トレイが給紙を行うことができないトレイであると判断する方法がある。上記特許文献１の画像形成装置において、この判断方法を採用すると、各給紙トレイに残量検知センサを備える必要がないため製造コストを低減することが可能となる。
【０００５】
しかしながら、上記特許文献１の画像形成装置において、この判断方法を採用すると、例えば、紙残量がペーパーエンドの給紙トレイがある場合には、当該給紙トレイに対する給紙の試行が複数回実行されるまでは、何れの給紙トレイからも給紙が行われないことになる。その結果として、次の画像形成が開始されるまでに長時間を要するため、ユーザの待ち時間が長くなる問題が生じる。
【０００６】
本発明の目的は、シートの搬送を行うことができないトレイを判断することが可能であり、且つ、ユーザの待ち時間を低減可能な画像記録装置を提供することである。
【課題を解決するための手段】
【０００７】
上記の課題を解決するために、本発明の画像記録装置は、シートに画像を記録する記録部と、同じ種類のシートをそれぞれ支持する複数のトレイと、前記複数のトレイに支持されたシートを選択的に前記記録部へ搬送する搬送部と、前記記録部及び前記搬送部を制御する制御部と、記憶部と、を備え、前記制御部は、前記複数のトレイのうちの一つを給送元トレイとして選択する選択処理と、前記搬送部を制御して、前記選択処理により選択されている前記給送元トレイから前記記録部へのシートの搬送を試行する試行処理と、前記試行処理を実行する毎に、前記給送元トレイからの前記記録部へのシートの搬送が成功したか否かを判断する成否判断処理と、前記成否判断処理において前記給送元トレイからの前記記録部へのシートの搬送が成功したと判断した場合には前記給送元トレイを第１トレイとして割り当て、前記成否判断処理において前記給送元トレイからの前記記録部へのシートの搬送が失敗したと判断した場合には前記給送元トレイを第２トレイとして割り当てて、この割り当てに係る割当情報を前記複数のトレイ毎に対応付けて前記記憶部に記憶する第１記憶処理と、前記成否判断処理において前記給送元トレイからの前記記録部へのシートの搬送が失敗したと判断した失敗回数を、前記複数のトレイ毎に対応付けて前記記憶部に記憶する第２記憶処理と、前記記憶部に記憶された前記失敗回数が、２以上の規定回数となった前記トレイを、異常トレイと判断する異常判断処理と、を実行可能であり、前記選択処理において、前記複数のトレイのうち、前記異常判断処理により前記異常トレイと判断されたトレイ以外を選択対象トレイとし、前記試行処理を実行する毎に前記給送元トレイが切り替わるように前記選択対象トレイのいずれかを次の前記給送元トレイとして選択するものであり、且つ、前記成否判断処理において前記給送元トレイからの前記記録部へのシートの搬送が失敗したと判断したときには、前記選択対象トレイのうち、前記記憶部に記憶された前記割当情報に基づき前記第１トレイとして割り当てられているトレイのいずれかを、次の前記給送元トレイとして選択する。
【０００８】
上記の構成によれば、給送元トレイからの記録部へのシートの搬送が失敗したときには、前回の試行処理においてシートの搬送が成功しているトレイが次の給送元トレイとして選択される。このため、次の試行処理時においてシートが記録部に搬送される可能性が高く、その結果として、ユーザの待ち時間を低減することができる。また、前回の試行処理においてシートの搬送が失敗しているトレイについても、給送元トレイとして選択され得るため、シートの搬送を行うことができない異常トレイを確実に判断することができる。
【０００９】
また、本発明の画像記録装置において、前記制御部は、前記選択処理において、前記成否判断処理において前記給送元トレイからの前記記録部へのシートの搬送が成功したと判断したときには、前記選択対象トレイのうち、前記記憶部に記憶された前記割当情報に基づき前記第２トレイとして割り当てられているトレイのいずれかを、次の前記給送元トレイとして選択してもよい。この構成によると、給送元トレイからの記録部へのシートの搬送が成功したときには、前回の試行処理においてシートの搬送が失敗しているトレイが次の給送元トレイとして選択されるため、異常トレイを早期に見つけ出すことができる。
【００１０】
また、本発明の画像記録装置において、前記制御部は、前記選択処理において、前記成否判断処理において前記給送元トレイからの前記記録部へのシートの搬送が失敗したと判断したときには、前記記憶部に記憶された前記割当情報に基づき前記第１トレイとして割り当てられているトレイの全てを前記給送元トレイとして順に選択した後に、前記割当情報に基づき前記選択対象トレイのうちの前記第２トレイとして割り当てられているトレイのいずれかを、次の前記給送元トレイとして選択してもよい。この構成によると、前回の試行処理においてシートの搬送が成功しているトレイが次の給送元トレイとして選択される割合を多くすることができるので、ユーザの待ち時間をより低減することができる。
【００１１】
また、本発明の画像記録装置において、前記制御部は、前記選択処理において、前記複数のトレイそれぞれに対して規定されたトレイ順を繰り返す選択順序に従って、前記選択対象トレイのうちの一つを順に前記給送元トレイとして選択するものであり、前記成否判断処理において前記給送元トレイからの前記記録部へのシートの搬送が失敗したと判断したときには、前記記憶部に記憶された前記割当情報に基づき、前記選択順序において次に前記第１トレイとして割り当てられているトレイを、次の前記給送元トレイとして選択してもよい。この構成によると、第１トレイとして割り当てられているトレイそれぞれから記録部に対して搬送されるシートの数を均等にすることができる。
【００１２】
また、本発明の画像記録装置は、前記複数のトレイを着脱可能に収容する筐体と、前記筐体に対する前記複数のトレイそれぞれの着脱を検出可能な検出部とをさらに備えており、前記制御部は、前記検出部が、前記記憶部に記憶された前記失敗回数が零よりも大きいトレイのいずれかの前記筐体に対する着脱を検出した場合に、前記記憶部に記憶された、前記筐体に対する着脱が検出されたトレイに対応付けられた前記失敗回数を零に初期化する初期化処理をさらに実行可能であってもよい。トレイの筐体に対する着脱が行われた場合には、着脱が行われたトレイに対してシートの補充等が行われている場合がある。従って、失敗回数が零よりも大きいトレイいずれかの筐体に対する着脱が検出された場合には、当該トレイに対応付けられた失敗回数を零に初期化することで、異常トレイの判断を正確に行うことが可能となる。
【発明の効果】
【００１３】
本発明によると、シートの搬送を行うことができないトレイを判断することが可能であり、且つ、ユーザの待ち時間を低減することが可能な画像記録装置を提供することができる。
【図面の簡単な説明】
【００１４】
【図１】本発明の一実施形態に係るインクジェットプリンタの機械的構成を示す概略側面図である。
【図２】（ａ）は図１に示す装置本体の電気的構成を示す図であり、（ｂ）は図１に示す増設給紙ユニットの電気的構成を示す図である。
【図３】（ａ），（ｂ）は選択順序について説明する図であり、（ｃ），（ｄ）は給送元トレイの選択順の参考例について説明する図であり、（ｅ）は本実施形態に係る給送元トレイの選択順について説明する図であり、（ｆ）はトレイ情報テーブルについて説明する図である。
【図４】本実施形態に係る給送元トレイの選択順について説明する図である。
【図５】（ａ），（ｂ）は本実施形態に係る給送元トレイの選択順について説明する図である。
【図６】インクジェットプリンタの動作を説明するフロー図である。
【図７】変形例に係る給送元トレイの選択順について説明する図である。
【図８】変形例に係るインクジェットプリンタの動作を説明するフロー図である。
【発明を実施するための形態】
【００１５】
以下、本発明の好適な実施の形態として、画像記録装置をインクジェットプリンタに適用し、図面を参照しつつ説明する。
インクジェットプリンタ１００（以下、プリンタ１００）は、図１に示すように、用紙Ｐ（シートの一例）に画像を記録する装置本体１０１と、装置本体１０１に対して着脱可能に構成された３つの増設給紙ユニット８０とを含む。これら増設給紙ユニット８０は、装置本体１０１の下部において、鉛直方向に沿って直列に３段接続され、装置本体１０１に対して用紙Ｐを給紙可能に構成されている。
【００１６】
装置本体１０１について、図１を参照しつつ説明する。装置本体１０１は、直方体形状の筐体１０１ａを有する。筐体１０１ａの天板上部には、排紙トレイ４が設けられている。筐体１０１ａの内部空間には、装置本体１０１の各部を制御する本体制御部１５０、記録機構２、搬送機構４０、用紙センサ７、及び、本体給紙トレイ１０が配置されている。この筐体１０１ａの内部空間には、本体給紙トレイ１０から排紙トレイ４に向けて、用紙Ｐが搬送される搬送経路が形成されている。なお、搬送経路における本体給紙トレイ１０から排紙トレイ４に向かう方向を、用紙Ｐの搬送方向と称する。
【００１７】
筐体１０１ａの底板には、給紙コネクタ１０５が設けられている。給紙コネクタ１０５に対して、増設給紙ユニット８０の第２給紙コネクタ８７（後述する）が接続されることで、本体制御部１５０と増設給紙ユニット８０の給紙制御部１７０（後述する）とが通信可能となる。また、筐体１０１ａの底板には、増設給紙ユニット８０から給紙される用紙Ｐが通過する用紙給紙口１０６が形成されている。
【００１８】
また、筐体１０１ａには、タッチパネル３（図２（ａ）参照）が設けられている。このタッチパネル３は、ユーザによる各種操作入力が可能である。更に、タッチパネル３は、各種の設定画面や動作状態等をユーザに対して表示することが可能である。
【００１９】
記録機構２は、搬送経路に沿って搬送される用紙Ｐに画像を記録する機構であり、インクジェットヘッド１（以下、ヘッド１）、ヘッドホルダ５、及びプラテン６を備えている。ヘッド１は、主走査方向（後述する）に長尺な略直方体形状を有するラインヘッドである。ヘッド１の下面は吐出面となっており、ブラックインクを吐出する複数の吐出口が開口している。プラテン６は、平板部材であり、ヘッド１の吐出面と対向する位置に配置されている。また、ヘッド１は、ヘッドホルダ５を介して筐体１０１ａに固定支持されている。即ち、プリンタ１００は、ヘッド１を固定させた状態で画像記録を行うライン式のインクジェットプリンタである。ヘッドホルダ５は、ヘッド１とプラテン６との間に記録に適した所定の間隙が形成されるように、ヘッド１を保持している。
【００２０】
なお、装置本体１０１には、ヘッド１に供給するブラックインクを貯留したインクカートリッジ（不図示）が着脱可能に設けられている。このインクカートリッジは、チューブ（図示せず）を介してヘッド１と接続され、当該ヘッド１にインクを供給する。
【００２１】
本体給紙トレイ１０は、筐体１０１ａ内に形成されたトレイ収容室１０１ｂに着脱可能に収容されている。本体給紙トレイ１０には、複数の用紙Ｐを積層した状態で支持可能なトレイ本体１０ａと、増設給紙ユニット８０から供給された用紙Ｐが搬送される搬送経路の一部分を規定するガイド１３ａとを含んでいる。ガイド１３ａは、増設給紙ユニット８０から用紙供給口１０６を介して供給された用紙Ｐが記録機構２に向かって搬送されるように、鉛直方向に延在している。筐体１０１ａのトレイ収容室１０１ｂ近傍には、本体給紙トレイ１０の筐体１０１ａに対する着脱を検出する着脱センサ８が配置されている。
【００２２】
搬送機構４０は、用紙Ｐをガイドする２つのガイド部９ａ，９ｂと、給紙ローラ１２とを有している。給紙ローラ１２は、本体制御部１５０による制御の下、給紙モータＨＥ（図２（ａ）参照）により駆動されることで、本体給紙トレイ１０内の最も上方の用紙Ｐを送り出す。
【００２３】
２つのガイド部９ａ，９ｂは、搬送方向において記録機構２を挟んで配置されている。搬送方向上流側のガイド部９ａは、搬送路を規定する２つのガイド１３ｂ，１３ｃと、用紙Ｐを搬送経路に沿って搬送する２つのニップローラ対１４，１５とを有している。ガイド１３ｂは、ニップローラ対１４とガイド１３ａとの間の鉛直方向に延在する搬送経路、及び、ニップローラ対１４と給紙ローラ１２との間の搬送経路を構成する。ガイド１３ｃは、ニップローラ対１４からヘッド１近傍のニップローラ対１５まで延び、これらの間の搬送経路を構成する。
【００２４】
なお、ニップローラ対１５よりも搬送方向上流側には、用紙センサ７が配置されている。用紙センサ７は、搬送経路上におけるニップローラ対１５よりも搬送方向上流側の所定位置を検出位置として、当該検出位置に用紙Ｐが存在するか否かを検出するための検出センサである。本実施形態では、この用紙センサ７は、ヘッド１からのインク吐出開始時点を決定するために用いられる。具体的には、本体制御部１５０は、用紙Ｐの先端が検出位置に搬送された時点から、検出位置とヘッド１（詳細には最も搬送方向上流にある吐出口）との距離を用紙Ｐの搬送速度で除算して得られる時間が経過した時点をインク吐出開始時点として決定する。
【００２５】
搬送方向下流側のガイド部９ｂは、搬送路を規定する２つのガイド１９ａ，１９ｂと、用紙Ｐを搬送経路に沿って搬送する３つのニップローラ対１６〜１８とを有している。ガイド１９ａは、ニップローラ対１６からニップローラ対１７まで延び、これらの間の搬送経路を構成する。ガイド１９ｂは、ニップローラ対１７からニップローラ対１８まで延び、これらの間の搬送経路を構成する。
【００２６】
ガイド部９ａ，９ｂのニップローラ対１４〜１８は、本体制御部１５０による制御の下、搬送モータＨＭ（図２（ａ）参照）により回転駆動して、用紙Ｐを搬送経路に沿って搬送する。
【００２７】
以上の構成において、本体制御部１５０による制御の下、本体給紙トレイ１０からの用紙Ｐ及び増設給紙ユニット８０からの用紙Ｐは、ガイド１３ｂ，１３ｃに案内されつつ、ニップローラ対１４，１５によりヘッド１の吐出面と対向する対向領域に挟持搬送される。用紙Ｐがヘッド１の真下を通過する際に、本体制御部１５０の制御の下、ヘッド１の吐出口から用紙Ｐの表面に向けてブラックインクが吐出されて画像が記録される。画像が記録された用紙Ｐは、ガイド１９ａ，１９ｂに案内されつつ、ニップローラ対１６〜１８により挟持搬送され、筐体１０１ａ上部に形成された開口から排紙トレイ４へと排出される。なお、図中の副走査方向とは、用紙Ｐがニップローラ対１５，１６によって搬送される搬送方向と平行且つ水平な方向であり、主走査方向とは、水平面に平行且つ副走査方向に直交する方向である。
【００２８】
続いて、増設給紙ユニット８０について説明する。なお、本実施形態における３つの増設給紙ユニット８０はともに同じ構成であるため、１つの増設給紙ユニット８０について説明する。
【００２９】
増設給紙ユニット８０は、図１に示すように、筐体８１を有する。筐体８１には、給紙トレイ８２、ガイド部８４及び給紙制御部１７０などが配置されている。給紙制御部１７０は、本体制御部１５０からの指令に基づいて増設給紙ユニット８０の動作を制御する。給紙トレイ８２は、筐体８１内に形成されたトレイ収容室８１ｃに着脱可能に収容されている。この給紙トレイ８２は、複数の用紙Ｐを積層した状態で支持可能である。なお、本実施形態では、３つの増設給紙ユニット８０の給紙トレイ８２、及び装置本体１０１の本体給紙トレイ１０には、これらのトレイ共通の用紙Ｐ（同じサイズ、且つ同じ種類の用紙Ｐ）が収納されている。また、筐体８１のトレイ収容室８１ｃ近傍には、給紙トレイ８２の筐体８１に対する着脱を検出する着脱センサ８５が配置されている。
【００３０】
筐体８１の底板には、第１給紙コネクタ８６が設けられている。第１給紙コネクタ８６は、水平方向に関して、装置本体１０１の給紙コネクタ１０５と一致する位置に配置されている。筐体８１の天板には、第２給紙コネクタ８７が設けられている。第２給紙コネクタ８７は、水平方向に関して、第１給紙コネクタ８６と一致する位置に配置されている。この第２給紙コネクタ８７は、給紙コネクタ１０５、及び、他の増設給紙ユニット８０の第１給紙コネクタ８６のいずれに対しても接続可能である。
【００３１】
筐体８１の天板には、装置本体１０１又は上方に位置する増設給紙ユニット８０に給紙される用紙Ｐが通過する用紙排紙口８１ａが形成されている。筐体８１の底板には、下方に位置する増設給紙ユニット８０から給紙される用紙Ｐが通過する用紙給紙口８１ｂが形成されている。
【００３２】
ガイド部８４は、２つのガイド８８ａ，８８ｂと、給紙ローラ８３と、ニップローラ対８９とを有する。給紙ローラ８３は、給紙制御部１７０による制御の下、給紙モータＯＥ（図２（ｂ）参照）により駆動して、給紙トレイ８２内の最も上方の用紙Ｐを送り出す。ニップローラ対８９は、用紙排紙口８１ａ近傍に配置されている。このニップローラ対８９は、給紙制御部１７０による制御の下、搬送モータＯＭ（図２（ｂ）参照）により回転駆動して、用紙Ｐを用紙排紙口８１ａに向けて挟持搬送する。ガイド８８ａは、用紙給紙口８１ｂからニップローラ対８９まで延び、これらの間の搬送経路を構成する。ガイド８８ｂは、給紙トレイ８２からガイド８８ａの途中部位まで延び、これらの間の搬送経路を構成する。以上の構成において、給紙制御部１７０による制御の下、給紙トレイ８２からの用紙Ｐ及び下方に位置する増設給紙ユニット８０からの用紙Ｐは、ニップローラ対８９により、装置本体１０１又は上方に位置する増設給紙ユニット８０に向けて挟持搬送される。
【００３３】
次に、装置本体１０１の電気的構成について説明する。本体制御部１５０は、図２（ａ）に示すように、ＣＰＵ（Central Processing Unit）３１と、ＲＯＭ（Read Only Memory）３２と、ＲＡＭ（Random Access Memory）３３とを含んでいる。また、本体制御部１５０は、ヘッド１、タッチパネル３、搬送モータＨＭ、給紙モータＨＥ、用紙センサ７、着脱センサ８、及び通信Ｉ／Ｆ３５に電気的に接続されている。
【００３４】
通信Ｉ／Ｆ３５は、給紙コネクタ１０５に接続されている。本体制御部１５０は、この通信Ｉ／Ｆ３５を介して、装置本体１０１に接続された各増設給紙ユニット８０の給紙制御部１７０との間でデータ通信を行うことが可能に構成されている。
【００３５】
ＲＯＭ３２には、装置本体１０１を制御するための各種プログラム３２ａや各種設定、初期値等が記憶されている。ＲＡＭ３３は、各種制御プログラムが読み出される作業領域として、あるいはデータを一時的に記憶する記憶領域として利用される。このＲＡＭ３３には、印刷ジョブ３３ａやトレイ情報テーブル３３ｂが記憶されている。印刷ジョブ３３ａには、印刷コマンドや１以上の用紙Ｐに記録（印字）される画像に係る画像データ等が含まれている。トレイ情報テーブル３３ｂについては後述する。
【００３６】
ＣＰＵ３１は、ＲＯＭ３２から読み出したプログラム３２ａや各種センサから送られる信号に従って、その処理結果をＲＡＭ３３に記憶させながら、装置本体１０１の各構成要素を制御する。例えば、ＣＰＵ３１は、ＰＣ等の外部装置から印刷ジョブ３３ａを受け付けると当該印刷ジョブ３３ａを実行する。この印刷ジョブ３３ａを実行する際には、ＣＰＵ３１は、搬送処理とヘッド制御処理とを実行する。搬送処理では、ＣＰＵ３１は、搬送モータＨＭ及び給紙モータＨＥを直接制御する、並びに、各増設給紙ユニット８０の給紙制御部１７０を介して搬送モータＯＭ及び給紙モータＯＥを間接的に制御することで、本体給紙トレイ１０及び３つの給紙トレイ８２に支持された用紙Ｐを選択的に記録機構２に搬送する。ヘッド制御処理では、ＣＰＵ３１は、搬送処理によりヘッド１と対向する対向領域に搬送された用紙Ｐに対して、ＲＡＭ３３に記憶された印刷ジョブ３３ａに含まれる画像データに基づき、インクが吐出されるようにヘッド１の吐出制御を行う。
【００３７】
次に、増設給紙ユニット８０の電気的構成について説明する。給紙制御部１７０は、図２（ｂ）に示すように、ＣＰＵ４１と、ＲＯＭ４２と、ＲＡＭ４３とを含む。また、給紙制御部１７０は、搬送モータＯＭ、給紙モータＯＥ、通信Ｉ／Ｆ４５、及び着脱センサ８５に電気的に接続されている。
【００３８】
通信Ｉ／Ｆ４５は、第１給紙コネクタ８６及び第２給紙コネクタ８７に接続されている。給紙制御部１７０は、この通信Ｉ／Ｆ４５を介して装置本体１０１の本体制御部１５０との間でデータ通信を行うことが可能に構成されている。なお、２段目以降の増設給紙ユニット８０の給紙制御部１７０については、当該増設給紙ユニット８０と装置本体１０１の間に設置されている増設給紙ユニット８０の通信Ｉ／Ｆ４５を介すことで、装置本体１０１の本体制御部１５０との間でデータ通信を行う。
【００３９】
ＲＯＭ４２には、増設給紙ユニット８０を制御するための各種プログラム４２ａが記憶されている。ＲＡＭ４３は、各種制御プログラムが読み出される作業領域として、あるいはデータを一時的に記憶する記憶領域として利用される。ＣＰＵ４１は、ＲＯＭ４２から読み出したプログラム４２ａに従って、その処理結果をＲＡＭ４３に記憶させながら、増設給紙ユニット８０の各構成要素を制御する。
【００４０】
次に、ＣＰＵ３１により実行される搬送処理について説明する。本実施形態では、プリンタ１００は、装置本体１０１の本体給紙トレイ１０、及び３つの増設給紙ユニット８０それぞれが備える３つの給紙トレイ８２の計４つのトレイを備えており、各４つのトレイには共通の用紙Ｐが収納されている。ＣＰＵ３１は、４つのトレイの何れか１つを記録機構２へ用紙Ｐを搬送（給送）する給送元トレイとして選択する。そして、ＣＰＵ３１は、搬送モータＨＭ及び給紙モータＨＥを直接制御する、並びに、各増設給紙ユニット８０の給紙制御部１７０を介して搬送モータＯＭ及び給紙モータＯＥを間接的に制御することで、この給送元トレイとして選択されたトレイから記録機構２に用紙Ｐを搬送する。以下、説明の便宜上、本体給紙トレイ１０を「トレイＴ１」、最も上方に配置された１段目の増設給紙ユニット８０の給紙トレイ８２を「トレイＴ２」、２段目の増設給紙ユニット８０の給紙トレイ８２を「トレイＴ３」、最も下方に配置された３段目の増設給紙ユニット８０の給紙トレイ８２を「トレイＴ４」とも称す。
【００４１】
ところで、記録機構２に用紙Ｐを搬送する給送元トレイの選択に偏りが生じると、各トレイから記録機構２への搬送に係る構成要素の寿命に差が生じることになる。例えば、装置本体１０１のトレイＴ１を給送元トレイとして、このトレイＴ１から記録機構２への搬送が集中的に実行された場合、装置本体１０１の給紙モータＨＥや給紙ローラ１２の寿命が、各増設給紙ユニット８０の給紙モータＯＥや給紙ローラ８３の寿命よりも短くなり、早くに交換が必要となる。
【００４２】
そこで、本実施形態では、図３（ａ）に示すように、ＣＰＵ３１は、４つのトレイＴ１〜Ｔ４それぞれに対して規定されたトレイ順を繰り返す選択順序に従って、記録機構２に用紙Ｐが一枚搬送される毎に給送元トレイが切り替わるように構成されている。これにより、各トレイＴ１〜Ｔ４から記録機構２へ搬送される用紙Ｐの数が略均等となるため、各トレイから記録機構２への搬送に係る構成要素の寿命に偏りが生じることを低減することができる。なお、本実施形態では、トレイ順は、各トレイから記録機構２に至る搬送経路が短い順に、トレイＴ１を１番目、トレイＴ２を２番目、トレイＴ３を３番目、トレイＴ４を４番目として規定されている。
【００４３】
なお、本実施形態では、ＣＰＵ３１が、搬送モータＨＭ，ＯＭ及び給紙モータＨＥ，ＯＥを制御して、給送元トレイから記録機構２への搬送を２以上の規定回数試行し、この規定回数の試行の全てにおいて搬送が失敗したと判断した場合には、当該給送元トレイを、用紙切れ等に起因して記録機構２に用紙Ｐを搬送することが不可能な異常トレイであると判断する。なお、１回の試行のみで、給送元トレイが異常トレイであるか否かを判断しない理由として、１回の試行だけでは、給送元トレイに用紙Ｐが格納されているにもかかわらず給紙ローラ１２，８３による用紙Ｐのピックミス等で用紙Ｐを記録機構２に搬送することができない可能性があるからである。本実施形態では、ＣＰＵ３１は、給送元トレイから記録機構２への搬送の試行が３回失敗したとき、当該給送元トレイを異常トレイと判断する。このようにして異常トレイとして判断されたトレイは、給送元トレイの選択対象となり得る選択対象トレイから除外される。例えば、トレイＴ３が異常トレイとして判断された場合には、図３（ｂ）に示すように、トレイＴ３が選択対象トレイから除外され、トレイＴ１，Ｔ２，Ｔ４を選択対象トレイとして、このなかから順に給送元トレイが選択されることになる。
【００４４】
また、記録機構２への用紙Ｐの搬送が成功したか否かの判断は、ヘッド１近傍に配置された用紙センサ７の検出結果に基づいて実行される。即ち、ＣＰＵ３１は、給送元トレイから記録機構２への搬送を開始した後、所定時間経過後に用紙センサ７が用紙Ｐの存在を検出した場合には記録機構２への搬送が成功したと判断する、一方で、給送元トレイから記録機構２への搬送を開始した後、所定時間経過しても用紙センサ７が用紙Ｐの存在を検出しなかった場合には記録機構２への搬送が失敗したと判断する。ここでいう所定時間は、給送元トレイと用紙センサ７の検出位置との間の搬送距離を用紙Ｐの搬送速度で割った時間である。このように、インク吐出開始時点の決定にも用いられる用紙センサ７の検出結果に基づいて、ＣＰＵ３１は、記録機構２への用紙Ｐの搬送が成功したか否かの判断、及び給送元トレイが異常トレイであるか否かの判断をすることが可能となるため、これらの判断をするための検出機構を別に設ける必要がない。その結果として、プリンタ１００の製造コストを低減することが可能となる。
【００４５】
しかしながら、例えば、トレイＴ２に用紙切れが生じている場合において、図３（ｃ）に示すように、トレイＴ２から記録機構２への用紙Ｐの搬送を３回連続して試行するまでの間に他のトレイからの記録機構２への用紙Ｐの搬送を試行しない態様の場合、記録機構２に対して用紙Ｐが長時間搬送されないことになる。特に、トレイＴ４のみに用紙Ｐが収納されている場合、トレイＴ１〜トレイＴ３それぞれについて記録機構２への用紙Ｐの搬送を３回ずつ試行しない限り、記録機構２に対して用紙Ｐが搬送されない。即ち、１０回目の試行で初めて記録機構２に対して用紙Ｐが搬送されることになるため、ユーザの待ち時間が長くなる。
【００４６】
一方で、図３（ｄ）に示すように、給送元トレイから記録機構２への用紙Ｐの搬送を試行する毎に、当該試行時における記録機構２へ用紙Ｐの搬送の成否にかかわらず、上記選択順序に従って給送元トレイを切り替える態様も考えられる。この態様の場合、用紙Ｐの搬送を試行する毎に給送元トレイが切り替わるため、同じトレイに対して連続して用紙Ｐの搬送を試行する上記態様の場合と比べて、ユーザの待ち時間を低減することができる。しかしながら、この方法の場合でも、図３（ｄ）に示すように、用紙切れのトレイが複数あり、且つ、これらのトレイが選択順序において連なっている場合には、記録機構２に対して用紙Ｐが長時間搬送されないことになるため、依然としてユーザの待ち時間は長い。例えば、印刷ジョブ３３ａが２枚の用紙Ｐに画像を記録するジョブであった場合でも、記録機構２へ用紙Ｐの搬送の試行を４回する必要があり、ユーザの待ち時間が長くなる。
【００４７】
そこで、本実施形態ではこれらの問題を解決するために、ＣＰＵ３１が、給送元トレイから記録機構２への用紙Ｐの搬送が失敗したと判断したときには、図３（ｅ）に示すように、記録機構２への用紙Ｐの搬送が前回において成功しているトレイのいずれかを次の給送元トレイとして選択するように構成されている。これにより、次の搬送試行時において用紙Ｐが記録機構２に搬送される可能性が高くなるため、ユーザの待ち時間を低減することができる。例えば、印刷ジョブ３３ａが２枚の用紙Ｐに画像を記録するジョブであった場合、記録機構２へ用紙Ｐの搬送の試行を３回で済むことになるため、ユーザの待ち時間が短くなる。以下、給送元トレイの選択方法について詳細に説明する。
【００４８】
給送元トレイの選択は、ＲＡＭ３３に記憶されたトレイ情報テーブル３３ｂに従って実行される。トレイ情報テーブル３３ｂは、図３（ｆ）に示すように、トレイＴ１〜Ｔ４それぞれに対応して、割当情報、失敗回数、及び選択対象情報が登録されたテーブルである。トレイ情報テーブル３３ｂに登録される割当情報は、各トレイそれぞれが給送元トレイとして前回選択されたときに、当該トレイから記録機構２への用紙Ｐの搬送が成功したか否かを示す情報である。ＣＰＵ３１は、給送元トレイから記録機構２への用紙Ｐの搬送を試行する毎に、当該搬送が成功したか否かを判断する。そして、ＣＰＵ３１は、給送元トレイから記録機構２への用紙Ｐの搬送が成功したと判断した場合には当該給送元トレイを第１トレイとして割り当て、搬送が失敗したと判断した場合には当該給送元トレイを第２トレイとして割り当てて、当該割り当てに係る割当情報をトレイ情報テーブル３３ｂに登録する。なお、電源投入時などの初期時には、各トレイＴ１〜Ｔ４に対して第１トレイが割り当てられている。
【００４９】
トレイ情報テーブル３３ｂに登録される失敗回数は、ＣＰＵ３１が、対応するトレイから記録機構２への用紙Ｐの搬送が失敗したと判断した回数である。トレイ情報テーブル３３ｂに登録される選択対象情報は、対応するトレイが、給送元トレイとして選択し得る選択対象トレイか、給送元トレイとして選択しない異常トレイであるかを示す情報である。
【００５０】
ＣＰＵ３１は、トレイ情報テーブル３３ｂを参照して、トレイＴ１〜Ｔ４のうち選択対象トレイとして登録されているトレイのうちの１つを給送元トレイとして選択する。また、ＣＰＵ３１は、給送元トレイからの記録機構２への用紙Ｐの搬送が失敗したと判断したときには、トレイ情報テーブル３３ｂを参照して、選択順序において次に第１トレイとして割り当てられているトレイを、次の給送元トレイとして選択する。また、ＣＰＵ３１は、給送元トレイからの記録機構２への用紙Ｐの搬送が失敗したと判断したときには、トレイ情報テーブル３３ｂを参照して、第１トレイとして割り当てられているトレイの全てを給送元トレイとして順に選択した後に、選択対象トレイであり、且つ第２トレイとして割り当てられているトレイのうちのいずれかを、次の給送元トレイとして選択する。
【００５１】
例えば、図４に示すように、トレイＴ１，Ｔ３，Ｔ４が第１トレイとして割り当てられているときにおいて、ＣＰＵ３１は、トレイＴ２の用紙Ｐの記録機構２への搬送が失敗した（２回目）と判断したときには、トレイＴ３を次の給送元トレイとして選択し、これ以後、トレイＴ４，トレイＴ１を給送元トレイとして選択する。このようにして第１トレイとして割り当てられているトレイの全てを給送元トレイとして順に選択した後に、第２トレイとして割り当てられており、且つ、失敗回数が３回未満の選択対象トレイであるトレイＴ２を次の給送元トレイとして選択する。
【００５２】
なお、本実施形態では、給送元トレイとして選択され得る選択対象トレイのうち、第２トレイとして割り当てられているトレイが複数あり、このなかから給送元トレイとして選択する際には、選択順序に従って次に第２トレイとして割り当てられているトレイを次の給送元トレイとして選択する。例えば、図５（ａ）に示すようにトレイＴ３、トレイＴ１の順に給送元トレイとして選択した後においては、選択順序において次に第２トレイとして割り当てられているトレイＴ２を給送元トレイとして選択する。一方で、図５（ｂ）に示すように、トレイＴ１，Ｔ３が第１トレイとして割り当てられ、トレイＴ２，Ｔ４が第２トレイとして割り当てられているときにおいて、トレイＴ１、トレイＴ３の順に給送元トレイとして選択した後においては、選択順序において次に第２トレイとして割り当てられているトレイＴ４を給送元トレイとして選択する。
【００５３】
変形例として、第２トレイとして割り当てられているトレイのうち、トレイ情報テーブル３３ｂに登録されている失敗回数が最も多いトレイを次の給送元トレイとして選択してもよい。この場合、第２トレイとして割り当てられている或るトレイが異常トレイであるか否かを早期に判断することが可能となる。また、別の変形例として、第２トレイとして割り当てられているトレイのうち、トレイ情報テーブル３３ｂに登録されている失敗回数が最も少ないトレイを次の給送元トレイとして選択してもよい。この場合、失敗回数が少ないトレイほど、次の搬送試行時に記録機構２への用紙Ｐの搬送が成功する可能性が高いため、ユーザの待ち時間を低減することができる可能性がある。
【００５４】
また、トレイＴ１〜Ｔ４が筐体８１，１０１ａに対する着脱が行われた場合には、着脱が行われたトレイに対して用紙Ｐの補充等が行われている場合があり、当該トレイについての搬送異常が解消されている場合がある。そこで、ＣＰＵ３１は、着脱センサ８，８５からの検出信号に基づき、トレイ情報テーブル３３ｂに登録されている失敗回数が零よりも大きいトレイのいずれかが筐体８１、１０１ａに対して着脱したと判断した場合には、当該着脱したと判断されたトレイに対応付けられている失敗回数を零に初期化する。また、トレイ情報テーブル３３ｂにおいて、当該着脱したと判断されたトレイが異常トレイとして登録されている場合には選択対象トレイに登録内容を変更する。これにより、図４に示すように、異常トレイとして判断されていたトレイも給送元トレイとして選択され得ることになる。なお、本実施形態においては、ＣＰＵ３１は、当該着脱したことが検出されたトレイを第１トレイとして暫定的に割り当てて、当該割当情報をトレイ情報テーブル３３ｂに登録（更新）する。変形例として、着脱したことが検出されたトレイに対して用紙Ｐの補充等が行われておらず搬送異常が解消されていない可能性もあるので、当該着脱したことが検出されたトレイを第２トレイとして暫定的に割り当てて、当該割当情報をトレイ情報テーブル３３ｂに登録するように構成されていてもよい。
【００５５】
以下、プリンタ１００の動作の一例について図６を参照しつつ説明する。なお、図６の動作フローの開始時における状態は、トレイＴ１〜Ｔ４それぞれに対して第１トレイ及び第２トレイのいずれかが既に割り振られており、その割振情報がＲＡＭ３３に記憶されたトレイ情報テーブル３３ｂに登録された状態である。また、トレイＴ１〜Ｔ４それぞれに対して、記録機構２への用紙Ｐへの搬送の失敗回数及び選択対象情報もトレイ情報テーブル３３ｂに登録された状態である。
【００５６】
まず、ＣＰＵ３１は、外部装置から印刷ジョブ３３ａを受け付けると、当該印刷ジョブ３３ａをＲＡＭ３３に記憶する（ステップＳ１：以下、単にＳ１と称す。他のステップも同様）。その後、ＣＰＵ３１は、着脱センサ８，８５からの検出信号、及びＲＡＭ３３に記憶されているトレイ情報テーブル３３ｂに基づき、失敗回数が零よりも大きいトレイのいずれかが、前回の印刷ジョブ実行時から現時点までの間において筐体８１、１０１ａに対して着脱したか否かを判断する（Ｓ２）。失敗回数が零よりも大きいトレイの何れかが筐体８１、１０１ａに対して着脱したと判断した場合（Ｓ２：ＹＥＳ）には、ＲＡＭ３３に記憶されているトレイ情報テーブル３３ｂにおいて、当該着脱したと判断したトレイに対応付けられている失敗回数を零に初期化する（Ｓ３：初期化処理）。このとき、ＣＰＵ３１は、トレイ情報テーブル３３ｂにおいて、当該着脱したと判断したトレイが異常トレイとして登録されている場合には、選択対象トレイに登録内容を変更する。また、ＣＰＵ３１は、当該着脱したと判断したトレイを第１トレイとして暫定的に割り当てて、当該割当情報をトレイ情報テーブル３３ｂに登録する。このＳ３の処理が終了すると、Ｓ６の処理に移る。
【００５７】
一方で、失敗回数が零よりも大きいトレイの何れも筐体８１、１０１ａに対して着脱していないと判断した場合（Ｓ２：ＮＯ）には、ＣＰＵ３１は、ＲＡＭ３３に記憶されているトレイ情報テーブル３３ｂを参照して、失敗回数が３回未満のトレイである選択対象トレイが存在するか否かを判断する（Ｓ４）。選択対象トレイが存在せずに全てのトレイが異常トレイであると判断した場合（Ｓ４：ＮＯ）には、ユーザに各トレイＴ１〜Ｔ４への用紙Ｐの補充等を促す給送エラー画面をタッチパネル３に表示して（Ｓ５）、本処理を終了する。一方で、選択対象トレイが存在すると判断した場合（Ｓ４：ＹＥＳ）には、Ｓ６の処理に移る。
【００５８】
Ｓ６の処理では、ＣＰＵ３１は、ＲＡＭ３３に記憶されたトレイ情報テーブル３３ｂを参照して、第１トレイとして割り当てられているトレイのうち、最も選択順序が早いトレイを給送元トレイとして選択する（選択処理）。そして、ＣＰＵ３１は、搬送モータＨＭ，ＯＭ及び給紙モータＨＥ，ＯＥを制御して、選択した給送元トレイから記録機構２への用紙Ｐの搬送を試行する（Ｓ７：試行処理）。次に、ＣＰＵ３１は、用紙センサ７からの検出信号に基づき、給送元トレイから記録機構２への用紙Ｐの搬送が成功したか否かを判断する（Ｓ８：成否判断処理）。搬送が失敗したと判断した場合（Ｓ８：ＮＯ）には、ＣＰＵ３１は、当該給送元トレイを第２トレイとして割り振り、当該割り振りに係る割振情報をＲＡＭ３３に記憶されたトレイ情報テーブル３３ｂに登録し（Ｓ９：第１記憶処理）、Ｓ２２の処理に移る。
【００５９】
一方で、搬送が成功したと判断した場合（Ｓ８：ＹＥＳ）には、ＣＰＵ３１は、当該給送元トレイを第１トレイとして割り振る（Ｓ１０）。このとき、トレイ情報テーブル３３ｂには当該給送元トレイは第１トレイとして割り振られた割振情報が既に登録されているため、ＣＰＵ３１は、トレイ情報テーブル３３ｂの更新は行わない。次に、ＣＰＵ３１は、ヘッド１と対向する対向領域に搬送されてきた一枚の用紙Ｐに対して、ＲＡＭ３３に記憶された印刷ジョブ３３ａに含まれる画像データに基づいて、インクが吐出されるようヘッド１を制御する（Ｓ１１）。これにより、用紙Ｐに画像が記録される。
【００６０】
この後、ＣＰＵ３１は、ＲＡＭ３３に記憶された印刷ジョブ３３ａが完了したか否か（印刷ジョブ３３ａに含まれる画像データに係る全ての画像が用紙Ｐに記録されたか否か）を判断する（Ｓ１２）。印刷ジョブ３３ａが完了したと判断した場合（Ｓ１２：ＹＥＳ）には、本処理を終了する。一方で、印刷ジョブ３３ａが完了していないと判断した場合（Ｓ１２：ＮＯ）には、ＣＰＵ３１は、ＲＡＭ３３に記憶されたトレイ情報テーブル３３ｂを参照して、第１トレイとして割り当てられている全てのトレイが給送元トレイとして選択されたか否かを判断する（Ｓ１３）。即ち、給送元トレイから記録機構２への搬送が失敗したと判断した以降において、第１トレイとして割り当てられているトレイの給送元トレイとしての選択が一巡したか否かを判断する。第１トレイとして割り当てられているトレイのうち何れかのトレイが給送元トレイとして選択されていないと判断した場合（Ｓ１３：ＮＯ）には、選択順序において次に第１トレイとして割り当てられているトレイを給送元トレイとして選択して（Ｓ１４）、Ｓ７の処理に戻る。
【００６１】
一方で、第１トレイとして割り当てられている全てのトレイが給送元トレイとして選択されたと判断した場合（Ｓ１３：ＹＥＳ）には、ＣＰＵ３１は、ＲＡＭ３３に記憶されているトレイ情報テーブル３３ｂを参照して、選択対象トレイのうち、第２トレイとして割り当てられているトレイが存在するか否かを判断する（Ｓ１５）。選択対象トレイのうち、第２トレイとして割り当てられているトレイが存在しないと判断した場合（Ｓ１５：ＮＯ）には、第１トレイとして割り当てられているトレイを次の給送元トレイとして選択すべくＳ１４の処理に移る。
【００６２】
一方で、第２トレイとして割り当てられているトレイが存在すると判断した場合（Ｓ１５：ＹＥＳ）には、ＣＰＵ３１は、トレイ情報テーブル３３ｂを参照して、選択対象トレイのうち、選択順序において次に第２トレイとして割り当てられているトレイを給送元トレイとして選択し（Ｓ１６）、搬送モータＨＭ，ＯＭ及び給紙モータＨＥ，ＯＥを制御して、選択した給送元トレイから記録機構２への一枚の用紙Ｐの搬送を試行する（Ｓ１７：試行処理）。次に、ＣＰＵ３１は、用紙センサ７からの検出信号に基づき、給送元トレイから記録機構２への用紙Ｐの搬送が成功したか否かを判断する（Ｓ１８：成否判断処理）。搬送が成功したと判断した場合（Ｓ１８：ＹＥＳ）には、当該給送元トレイを第１トレイとして割り振り、当該割振情報をトレイ情報テーブル３３ｂに登録し（Ｓ１９）、且つ、トレイ情報テーブル３３ｂにおいて、当該給送元トレイに対応付けられている失敗回数を零に初期化する（Ｓ２０）。この後、ヘッド１と対向する対向領域に搬送されてきた一枚の用紙Ｐに対して画像を記録すべくＳ１１の処理に移る。
【００６３】
一方で、Ｓ１８の処理で、搬送が失敗したと判断した場合（Ｓ１８：ＮＯ）には、ＣＰＵ３１は、当該給送元トレイを第２トレイとして割り振る（Ｓ２１）。このとき、トレイ情報テーブル３３ｂには当該給送元トレイは第２トレイとして割り振られた割振情報が既に登録されているため、トレイ情報テーブル３３ｂの更新は行わない。この後、Ｓ２２の処理に移る。
【００６４】
Ｓ２２の処理では、ＣＰＵ３１は、ＲＡＭ３３に記憶されているトレイ情報テーブル３３ｂにおいて、当該給送元トレイに対応付けられている失敗回数に１加算する（第２記録処理）。その後、ＣＰＵ３１は、トレイ情報テーブル３３ｂにおいて、当該給送元トレイに対応付けられている失敗回数が３回であるか否かを判断する（Ｓ２３）。失敗回数が３回未満と判断した場合（Ｓ２３：ＮＯ）には、Ｓ１４の処理に移る。一方で、失敗回数が３回であると判断した場合（Ｓ２３：ＹＥＳ）には、ＣＰＵ３１は、当該給送元トレイを異常トレイと判断し、トレイ情報テーブル３３ｂにおいて当該給送元トレイを選択対象トレイから異常トレイへと登録内容を変更する（Ｓ２４：異常判断処理）。その後、ＣＰＵ３１は、ＲＡＭ３３に記憶されているトレイ情報テーブル３３ｂを参照して、トレイＴ１〜Ｔ４に選択対象トレイが存在するか否かを判断する（Ｓ２５）。選択対象トレイが存在すると判断した場合（Ｓ２５：ＹＥＳ）には、Ｓ１４の処理に移る、一方で、選択対象トレイが存在しないと判断した場合（Ｓ２５：ＮＯ）には、ユーザに各トレイＴ１〜Ｔ４への用紙Ｐの補充等を促す給送エラー画面をタッチパネル３に表示すべくＳ５の処理に移る。以上、本実施形態のプリンタ１００の動作フローについて説明した。
【００６５】
以上、本実施形態によると、給送元トレイからの記録機構２への用紙Ｐの搬送が失敗したと判断したときには、前回において用紙Ｐの搬送が成功しているトレイが次の給送元トレイとして選択される。このため、次の搬送試行時において、用紙Ｐが記録機構２に搬送される可能性が高くなり、その結果として、ユーザの待ち時間を低減することができる。また、前回の搬送試行時において用紙Ｐの搬送が失敗しているトレイについても、給送元トレイとして選択され得るため、異常トレイを確実に判断することができる。
【００６６】
また、本実施形態によると、ＣＰＵ３１が給送元トレイからの記録機構２への用紙Ｐの搬送が失敗したと判断したときには、トレイ情報テーブル３３ｂを参照して第１トレイとして割り当てられているトレイの全てを給送元トレイとして順に選択した後に、選択対象トレイのうちの第２トレイとして割り当てられているトレイのいずれかを、次の給送元トレイとして選択される。従って、前回の搬送試行時において用紙Ｐの搬送が成功しているトレイが次の給送元トレイとして選択される割合を多くすることができるので、ユーザの待ち時間をより低減することができる。
【００６７】
また、本実施形態によると、トレイＴ１〜Ｔ４それぞれに対して規定されたトレイ順を繰り返す選択順序に従って、選択対象トレイのうちの一つを順に給送元トレイとして選択される。また、給送元トレイからの記録機構２への用紙Ｐの搬送が失敗したと判断したときには、トレイ情報テーブル３３ｂの割当情報に基づき、選択順序において次に第１トレイとして割り当てられているトレイを、次の給送元トレイとして選択される。その結果として、第１トレイとして割り当てられているトレイそれぞれから記録機構２に対して搬送される用紙Ｐの数を均等にすることができる。
【００６８】
また、本実施形態によると、トレイ情報テーブル３３ｂにおいて失敗回数が零よりも大きいトレイいずれかが筐体８１、１０１ａに対して着脱された場合には、当該トレイに対応付けられた失敗回数は零に初期化される。その結果として、異常トレイの判断を正確に行うことが可能となる。
【００６９】
次に、本実施形態の変形例について、図７及び図８を参照しつつ説明する。なお、本変形例に係るインクジェットプリンタ１００の動作フローは、図６を参照して説明した動作フローと略同様な動作フローであるため、相違点のみ説明する。
【００７０】
本変形例では、図７に示すように、ＣＰＵ３１は、給送元トレイからの記録機構２への用紙Ｐの搬送が成功したと判断したときには、トレイ情報テーブル３３ｂにおいて、第２トレイとして割り当てられているトレイのいずれかを次の給送元トレイとして選択する。具体的には、図８に示すように、Ｓ１２の処理で、ＲＡＭ３３に記憶された印刷ジョブ３３ａが完了していないと判断した場合（Ｓ１２：ＮＯ）には、ＣＰＵ３１は、ＲＡＭ３３に記憶されているトレイ情報テーブル３３ｂを参照して、選択対象トレイのうち、第２トレイとして割り当てられているトレイが存在するか否かを判断する（Ｓ３０）。選択対象トレイのうち、第２トレイとして割り当てられているトレイが存在しないと判断した場合（Ｓ３０：ＮＯ）には、第１トレイとして割り当てられているトレイを次の給送元トレイとして選択すべくＳ１４の処理に移る。一方で、第２トレイとして割り当てられているトレイが存在すると判断した場合（Ｓ３０：ＹＥＳ）には、当該第２トレイとして割り当てられている何れかのトレイを次の給送元トレイとして選択すべくＳ１６の処理に移る。
【００７１】
以上のように、本変形例では、本発明の画像記録装置において、給送元トレイからの記録機構２への用紙Ｐの搬送が成功したと判断したときには、選択対象トレイのうち第２トレイとして割り当てられているトレイのいずれかを、次の前記給送元トレイとして選択することになる。その結果として、上述の実施形態と比べて、第２トレイとして割り当てられているトレイが給送元トレイとして選択される割合が多くなるため、異常トレイを早期に見つけ出すことが可能となる。
【００７２】
以上、本発明の好適な実施の形態について説明したが、本発明は上述の実施の形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。
【００７３】
例えば、上述の実施形態では、プリンタ１００は４つのトレイＴ１〜Ｔ４を備えていたが、特にこれに限定されるものではなく、複数のトレイを備えていればよい。また、上述の実施形態では、プリンタ１００は、装置本体１０１と、装置本体１０１に対して着脱可能に構成された３つの増設給紙ユニット８０とから構成されていたが、増設給紙ユニット８０を有さずに装置本体１０１のみから構成されていてもよい。この場合、装置本体１０１に複数の本体給紙トレイ１０を備えており、この複数の本体給紙トレイ１０から選択的に用紙Ｐを記録機構２に搬送されるように構成されていればよい。また、上述の実施形態では、各トレイＴ１〜Ｔ４から記録機構２への搬送経路には各トレイに共通の搬送経路が含まれていたが、共通の搬送経路を含まずに、各トレイＴ１〜Ｔ４それぞれから記録機構２に向けて個別に搬送経路が形成されていてもよい。
【００７４】
また、上述の実施形態では、ＣＰＵ３１による、給送元トレイから記録機構２への用紙Ｐの搬送が成功したか否かは、インク吐出開始時点の決定に用いられる用紙センサ７からの検出信号に基づいて行われていたが特にこれに限定されるものではない。例えば、用紙Ｐの搬送経路に沿って互いに所定の距離だけ隔てて配置される、用紙Ｐの詰り（ジャム）を検出するための複数の用紙センサの何れかから出力される検出信号に基づいて、給送元トレイから記録機構２への用紙Ｐの搬送が成功したか否かを判断してもよい。なお、この用紙Ｐの詰りを検出するための複数の用紙センサは、隣接する２つの用紙センサによる用紙Ｐの先端の検出間隔が所定時間を超えたときに、この２つの用紙センサ間の搬送経路上においてジャムが発生したと検出するために用いられる用紙センサである。
【００７５】
また、上述の実施形態では、選択順序に従って選択対象トレイのなかから給送元トレイを選択するように構成されていたが、選択順序に従っていなくてもよく、給送元トレイから記録機構２への用紙Ｐの搬送が試行される毎に給送元トレイが切り替わるように構成されており、且つ、ＣＰＵ３１がレイからの記録機構２への用紙Ｐの搬送が失敗したと判断したときには、第１トレイとして割り当てられているトレイが次の給送元トレイとして選択されるように構成されていればよい。
【００７６】
また、上述の実施形態では、図６に示すように、第２トレイとして割り当てられているトレイを給送元トレイとし、当該給送元トレイから記録機構２への用紙Ｐの搬送が成功したとき（Ｓ１８：ＹＥＳ）には、トレイ情報テーブル３３ｂにおいて、当該給送元トレイに対して登録されている失敗回数を零に初期化する（Ｓ２０）ように構成されていたが、零に初期化しなくてもよい。この場合、例えば、給紙ローラ１２，８３の摩耗等により給送元トレイから記録機構２への搬送が成功する確率が低下しているトレイを早期に見つけ出すことができる場合がある。
【００７７】
また、上述の実施形態において、ＣＰＵが単一のＣＰＵにより本体制御部１５０又は給紙制御部１７０を構成してもよいし、複数のＣＰＵ、あるいは特定のＡＳＩＣ（application specific integrated circuit）、ＣＰＵと特定のＡＳＩＣの組み合わせにより本体制御部１５０又は給紙制御部１７０を構成していてもよい。
【００７８】
本発明はライン式インクジェットプリンタのみならず、静止している用紙Ｐに対してヘッド１を移動させることで、用紙Ｐに画像を記録するシリアル式インクジェットプリンタにも適用可能である。加えて、レーザプリンタやサーマルプリンタなどの画像記録装置にも適用することが可能である。
【符号の説明】
【００７９】
２  記録機構（記録部）
１０  本体給紙トレイ
４０  搬送機構
８２  給紙トレイ
８，８５  着脱センサ
１００  インクジェットプリンタ（画像記録装置）
８１、１０１ａ  筐体
１５０  本体制御部
【図１】
0006477162.tif 000002
【図２】
0006477162.tif 000003
【図３】
0006477162.tif 000004
【図４】
0006477162.tif 000005
【図５】
0006477162.tif 000006
【図６】
0006477162.tif 000007
【図７】
0006477162.tif 000008
【図８】
0006477162.tif 000009